Podtech/llm-jp-corpus-v4-ja_patent huggingface dataset:
(57)【要約】【課題】  粉末洗濯洗剤を効率よく溶かし、溶け残りの衣類への付着を防ぐ、洗濯洗剤の溶解具を提供する。【解決手段】  上蓋（２）と底蓋（３）を設けた容器（１）に、溶け残り洗剤を回収する網状の内蓋（４）と攪拌の効率を上げる攪拌ボール（６）を設けたことを特徴とする。【選択図】  図１
2005074204.tif 000002
【特許請求の範囲】
【請求項１】
上蓋（１）と底蓋（２）、網状の内蓋（４）を設けた容器（１）の中に、攪拌ボール（６）を入れた粉末洗剤溶解具。
【発明の詳細な説明】
【技術分野】
【０００１】  本発明は、粉末の洗濯洗剤を攪拌して溶解し、溶け残りを回収する洗濯洗剤溶解具に関するものである。
【背景技術】
【０００２】  従来より電気洗濯機で粉末洗剤を使用すると、洗剤成分が溶け残り、衣類に付着していた。これを解決する為に、洗濯機の給水口に網の籠を取り付け、給水しながら洗剤を溶かすものがある（例えば、特許文献特開平９−１０８４８８号公報参照。）。また、洗濯機に洗剤溶解機能を配置したものがある（例えば、日立洗濯機総合カタログ２００３−７、３頁参照。）。
【発明の開示】
【発明が解決しようとする課題】
【０００３】  洗剤が溶け残り、衣類に付着した状態は、衛生面に問題があり、二度洗いも煩わしい。環境面を考慮した天然油脂の粉石けんや、複合石けんなどはかなり溶けづらい。溶け易く改良された粉末洗剤でも、冬場は溶け残りがあり、洗濯層の黒かびの原因にもなる
網籠を取り付ける方法は、機種により洗濯機の形状が様々である為、全ての洗濯機に同じように機能させるのは難しい。また、洗剤の泡立てが不十分になる為、汚れ落ちがあまり良くなく、必要以上の洗剤を投入することになる。
洗剤溶解機能を備えた洗濯機では、天然粉石けん、複合石けんは使用できない旨が注意書きされている（日立洗濯機総合カタログ２００３−７、３頁欄外参照。）。
本発明は、以上の欠点を解決し、より良い効果を上げる為になされたものである。
【課題を解決するための手段】
【０００４】    上蓋（１）と底蓋（２）、網状の内蓋（４）を本体となる容器（１）に設ける。容器の中には攪拌ボール（６）が入れてある。
本発明は以上の構成よりなる洗濯洗剤溶解具である。
【発明の効果】
【０００５】  本発明を使用することによって、粉末洗剤を効率よく溶解できる。更に、溶け残りを回収することにより、衣類への洗剤成分の付着や、洗濯層の黒かびを防ぐ。また、十分な泡立てにより洗浄力も向上し、適量を超えて洗剤を投入することもない。
【発明を実施するための最良の形態】
【０００６】  以下、本発明の実施の形態を説明する。
１．本体となる容器（１）に、密閉できる上蓋（２）と底蓋（３）を設ける。
２．上蓋（２）の内側に、洗剤の粒子よりも細かい網状の内蓋（４）を設ける。
３．容器の中に、球体の骨組みの形状をした攪拌ボール（５）が入っている。
本発明は、以上の構成よりなっている。
【実施例】
【０００７】  本発明を使用する時は、次のようにする。容器に洗剤と水を入れて密閉し、上下に振って洗剤と水を十分に攪拌させる。出来上がった溶解液を、上蓋を開けて洗濯層へ注ぐ。必要に応じて底蓋を開けて、給水口（６）から水を流し入れ、容器内部に残った溶液や泡を流す。網状の内蓋（４）を外して網に溜まった溶け残り洗剤を捨てる。
【図面の簡単な説明】
【図１】本発明の傾斜図である。
【図２】本発明の分解傾斜図である。
【図３】本発明の使用状態を示す傾斜図である。
【符号の説明】
１  容器
２  上蓋
３  底蓋
４  網状の内蓋
５  攪拌ボール
６  給水口
【図１】
2005074204.tif 000003
【図２】
2005074204.tif 000004
【図３】
2005074204.tif 000005
(57)【要約】【課題】  汚濁した水の浄化をしても安全面で問題がなく、又浄水器等だけでなく水を浄化する種々の場合に使用出来、又、家庭用、工業用等巾広く使用出来、かつ使用が簡単で、さらに、安価に製造することが出来るミネラルを多く含んだ多孔体物質を提供すること。【解決手段】ミネラルを豊富に含有するにがりと多孔体原料とを混合、焼成すること、又、前記ミネラルを豊富に含有するにがりが海洋深層水から得られたにがりであることからなる。【選択図】  なし【特許請求の範囲】
【請求項１】
ミネラルを豊富に含有するにがりと多孔体原料とを混合、焼成することからミネラルを多く含む多孔体物質。
【請求項２】
前記ミネラルを豊富に含有するにがりが海洋深層水から得られたにがりであることを特徴とする請求項１記載のミネラルを多く含む多孔体物質。
【請求項３】
前記多孔体原料が、主な化学成分が無水珪酸、酸化アルミニュム、酸化鉄の泥であることを特徴とする請求項１記載のミネラルを多く含む多孔体物質。
【請求項４】
前記多孔体原料が、石炭微粉体であることを特徴とする請求項１記載のミネラルを多く含む多孔体物質。
【請求項５】
前記多孔体原料が、主な化学成分が無水珪酸、酸化アルミニュム、酸化鉄である泥と石炭微粉体とを混合したものであることを特徴とする請求項１記載のミネラルを多く含む多孔体物質。
【発明の詳細な説明】
【技術分野】
【０００１】
本発明は、ミネラルを多く含んだ多孔体物質に関する。
【背景技術】
【０００２】
従来、汚染された貯水池や土壌を改善することができるとともに、人体にとっても有益である水を作出でき、更に汚濁した水の浄化を行う濾過材料等に関する技術がある。この技術はミネラルを含有した軟質多孔性古代海洋腐植質とSi6O18とを混合し、焼成したものからなるものである。（例えば、特許文献１参照。）。
【０００３】
又、一般の水道水をよりおいしくする浄水フィルタが開発されている。この浄水フィルタには濾過材と活性炭とを組み合わせてフィルタ層を形成したもの等があるが、特に、原水中の浮遊固形物および塩素を除去するとともに、ミネラル分を適量に調製し、しかも、原水中の有機物を効率良く除去をした浄水フィルタに関する技術がある。
この技術は第１フィルタ層、第２フィルタ層、および第３フィルタ層を有する浄水フィルタで、第１フィルタ層の濾過材により浮遊固形物を除去し、第２フィルタ層の銀担持活性炭により塩素を吸着させ、第３フィルタ層の麦飯石によりミネラル分を調製する、という技術である（例えば、特許文献２参照。）。
【特許文献１】特開平６−９２８０号（［００１５］、［００２０］）
【特許文献２】特開平１０−５７４３号（［０００４］、［０００６］）
【発明の開示】
【発明が解決しようとする課題】
【０００４】
前記特許文献１の技術はミネラルを含んではいるが軟質多孔性古代海洋腐植質を使用するものであるから人体に有害な物質を含んでいる可能性があり安全面で不安がある。
【０００５】
又前記特許文献２の技術は、いわゆる浄水器に使用されるもので、湖沼等の浄化等に使用出来ず使用範囲が限定されているものである。
【０００６】
そこで、本発明は、汚濁した水の浄化をしても安全面で問題がなく、又浄水器等だけでなく水を浄化する種々の場合に使用出来、又、家庭用、工業用等巾広く使用出来、かつ使用が簡単で、さらに、安価に製造することが出来るミネラルを多く含んだ多孔体物質を提供することを目的とする。
【課題を解決するための手段】
【０００７】
上記課題を解決するため、本発明のミネラルを多く含んだ多孔体物質は、ミネラルを多く含有するにがりと多孔体原料とを混合、焼成することからなるものである。したがって、大きさ、形状等も、使用の用途により、大、小、球状、角状等自由に作ることが出来るので、家庭用、工業用等巾広く使用出来、かつ使用も簡単である。又、本発明の多孔体物質は多孔質状を成すため濾過材としての機能を有し、それにより汚濁した水が浄化され、かつにがりを含んでいるため、当該にがりによりミネラルを多く含んだ安全な水を提供することが出来るものである。
又、このにがりが海洋深層水から得られたにがりである場合は、海洋深層水のもつ特質を享受することが出来るので好適である。
又、本発明のミネラルを多く含んだ多孔体原料を使用して得た水は、水道水を用いた場合、水道水に含有する塩素も取り除くことが出来るので、飲料水や化粧品等に使用する場合、最適な水であるということが出来る。
【０００８】
又、前記多孔体原料が、主な化学成分が無水珪酸、酸化アルミニュム、酸化鉄の泥であることが好適である。
又、前記多孔体原料が、石炭微粉体であることが好適である。
さらに、前記多孔体原料が、主な化学成分が無水珪酸、酸化アルミニュム、酸化鉄である泥と石炭微粉体とを混合したものであることが好適である。
【実施例】
【０００９】
以下、製造例及び実施例を記述する。
【００１０】
（製造例）  
無水珪酸65％、酸化アルミニウム15％、酸化鉄6％、その他酸化カリウム、酸化マグネシウム、酸化ナトリウム等を含んだ泥に、にがりを添加し、よく攪拌し、混合する。そして乾燥させ、適度に水分を調整した後、成形機により成形する。乾燥後、電気炉内（600℃Ｃ以上）で焼結させ、ミネラルを多く含む多孔体物質を得る。
このにがりは、ここでは海洋深層水を使用するが、海洋深層水からにがりを得る方法は、通常行われている方法で、即ち、原水を海洋深層水淡水化装置により濃縮塩水と真水二分け、さらに濃縮塩水を蒸気乾燥することにより得るものである。
【００１１】
（実施例１）
本発明のミネラルを多く含む多孔体物質をカートリッジに充填し、カートリッジに水道水またはミネラルを含有しない水を流すことにより、ミネラルを多く含
んだ安全な水を提供することが出来るものである。
【００１２】
（実施例２）
前記実施例１により製造された水を使用した化粧品の配合例を下記表１に示す。
表１
2005074270.tif 000002
(57)【要約】〔課題〕  耳かきに、ゴムと粘着テープを付けた耳かきを提供する。〔解決手段〕  従来の耳かきの、耳をかく部分の中央に、小さなへこみを作る。耳かき全体をゴムでコーティングする。へこみの反対がわに粘着テープを付け、そこに、ビニールテープを付ける。【選択図】図１
2005074216.tif 000002
【特許請求の範囲】
【請求項１】
従来の耳かきにおいて、うすいマサツのできるマクを上ぬりし、マサツで耳を痛めず、沢山の耳アカがとれるようにしたことを特長とする耳かき。
【発明の詳細な説明】
【技術分野】
【０００１】  本発明は、従来の耳かきに、ゴム製の、まさつのかかるマクをつけ、一方に、粘着シートをつけた、耳アカとりに関するものである。
【背景技術】
【０００２】  従来、木製の耳かきや、めん棒などがあった。
【発明の開示】
【発明が解決しようとする課題】
【０００３】  そのために、次のような問題点があった。
（イ）耳をかきすぎて、血や体液がでることがあった。
（ロ）めん棒では耳アカが、よく取りきれなかった。
本発明は、これらの問題点を解決するためになされたものである。
【課題を解決するための手段】
【０００４】  従来の、めん棒付き耳かき部の外がわに、ゴム製のうすいマクをはり、もう一方に、粘着製のテープをはる。
【発明の効果】
【０００５】  沢山耳をかいても痛くなりにくく、また、かわいたこまかい耳アカも、きれいに取れる。また、手持ち部分にも、まさつが加わるため、耳かきをしている時、持つ手が安定する。
【発明を実施するための最良の形態】
【０００６】  以下、本発明の実施の形態について説明する。
（イ）耳かき部（１）の中央にへこみを設ける。
（ロ）耳かき全体を、うすいゴムでコーティングする。
（ハ）耳かき部の上部（３）に粘着テープを巻きつけ、粘着が弱まらないように、ビニールテープ（４）をそこに、はりつける。
本発明は以上のような構成で、これを使用するときは、この、耳かき部（１）を使い、従来通りに耳をかく。粘着テープ（３）に付いている、ビニールテープ（４）をはがし、粘着テープ部分を耳の中に入れ、耳の中を押さえるように、トントンとたたき、耳アカを取る。
【図面の簡単な説明】
【０００８】
【図１】本発明の斜視図
【図２】本発明の分解図
【符号の説明】
【０００８】１、耳かき部
２、手持ち部分
３、粘着テープ
４、ビニールテープ
【図１】
2005074216.tif 000003
【図２】
2005074216.tif 000004
(57)【要約】【課題】従来品は組み立て式のため、ヤヤ複雑で設置に時間がかかっていたので「折りたたみ式」にすることでより簡単・手軽さを追求したものである。【解決手段】ゴールの枠角４点に折りたたみ式ジョイント部分１を取付けることで、レール式足６をゴールポスト１１に、又ゴールポスト１１をゴールバー２にたたみ込むことができる。更に、ゴールバー２の中央に取付けたチョウツガイ３を軸にして後方へ折りたためるようにした。【選択図】  図１
2005074213.tif 000002
【特許請求の範囲】
【請求項１】
ゴールの枠角４点に「折りたたみ式ジョイント部分」を取り付けることで折りたたみ式にしたミニサッカーゴール。
【発明の詳細な説明】
【発明の詳細な説明】
【技術分野】
【０００１】本発明は設備の整ったグランドだけでなく、近所の公園の敷地などちょっとしたスペースでも手軽に遊べるサッカーゴールです。
【背景技術】
【０００２】従来は主としてパイプ・継ぎ手・ネットから成り、ネットを通したパイプに継ぎ手をはめ込んだ「組み立て式」である。
【発明が解決しようとする課題】
【０００３】従来品の課題は以下の点である。
（イ）組み立て式のため設置、撤去に時間がかかる。（面倒くさい）
（ロ）公式用と比べてデザイン・形状のくだけたものが多い。
（ハ）主としてプラスチック製のためボールが当たるとすぐズレる。
本発明は、これらの課題を解消するために成されたものである。
【課題を解決するための手段】
【０００４】  （イ）設置や撤去が簡単な「折りたたみ式」にした。
（ロ）公式用のものに近いデザイン・形状にした。
（ハ）スチール製にして、ある程度重量をもたせることでズレを防止。
【発明を実施するための最良の形態】
【０００５】  （イ）折りたたみ式ジョイント部分１を４ケ所取付けることで折りたたみ式にした。
（ロ）更に、バー２の裏面中央にチョウツガイ３を付け後方へ折りたためるようにした。バックル４はバー２を開いた時に固定するもの。
（ハ）スティック７はネットの型を整えるためのもので、突起部５へ差し込む。
（ニ）スティック８は足６の中へ後方から中通しする。
（ホ）フック９を穴１０に引っ掛け（１０ケ所）枠にネットを固定する。
【発明の効果】
【０００６】折りたたみ式にしたメリットとして次の２点が挙げられる。
（イ）設置や撤去が簡単。
（ロ）収納スペースをとらない。（車のトランクに納まるサイズ）
以上の点から、誰でも手軽に利用できる。
【図面の簡単な説明】
【図１】枠（ゴールバー・ポスト・足）を斜め正面から見たところである。
【図２】ネット（スティック付）を斜め正面から見たところである。
【符号の説明】
１  折りたたみ式ジョイント部分      ２  ゴールバー
３  チョウツガイ                    ４  バックル
５  突起部                          ６  レール式足
７  整型スティック                  ８  中通しスティック
９  フック                          １０  穴
１１  ゴールポスト
【図１】
2005074213.tif 000003
【図２】
2005074213.tif 000004
(57)【要約】【課題】パチンコ台前面のガラス表面に設置するための吸盤を設けたことを特徴とする板はなかったため、パチンコ台前面のガラス表面に板を設置することができなかった。  さらに詳しくは、パチンコ台前面のガラス表面に設置するための吸盤を設けた目隠しであることを特徴とする板はなかったため、当たりはずれを表示する部分を周囲の人から容易に見られてしまい遊戯に集中できなかった。【解決手段】板１に吸盤２を設け、パチンコ台前面のガラス表面５に設置する。【選択図】図４
2005074212.tif 000002
【特許請求の範囲】
【請求項１】
パチンコ台前面のガラス表面に設置するための吸盤を設けたことを特徴とする板。
【請求項２】
パチンコ台前面のガラス表面に設置するための吸盤を設けた目隠しであることを特徴とする請求項１記載の板。
【発明の詳細な説明】
【発明の詳細な説明】
【技術分野】
【０００１】  この発明は、パチンコ台前面のガラス表面に設置するための吸盤を設けたことを特徴とする板に関するものである。
さらに詳しくは、この発明は、パチンコ台前面のガラス裏面に設置するための吸盤を設けたことを特徴とする目隠しに関するものである。
【背景技術】
【０００２】  従来は、パチンコ台前面のガラス表面に設置するための吸盤を設けたことを特徴とする板はなかった。
さらに詳しくは、従来は、パチンコ台前面のガラス表面に設置するための吸盤を設けた目隠しであることを特徴とする板はなかった。
【発明が解決しようとする課題】
【０００３】  従来は、パチンコ台前面のガラス表面に設置するための吸盤を設けたことを特徴とする板はなかったため、パチンコ台前面のガラス表面に板を設置することができなかった。
そこで、請求項１の発明は、パチンコ台前面のガラス表面に設置することができる板を提供することを課題とする。
さらに詳しくは、従来は、パチンコ台前面のガラス表面に設置するための吸盤を設けた目隠しであることを特徴とする板はなかったため、当たりはずれを表示する部分を周囲の人から容易に見られてしまい遊戯に集中できなかった。
そこで、請求項２の発明は、当たりはずれを表示する部分を周囲の人から見られにくくするためにパチンコ台前面のガラス表面に設置することができる目隠しであることを特徴とする板を提供することを課題とする。
【課題を解決するための手段】
【０００４】  以上の課題を解決するために、請求項１の発明は、パチンコ台前面のガラス表面に設置するための吸盤を設けたことを特徴とする板である。
また、請求項２の発明は、パチンコ台前面のガラス表面に設置するための吸盤を設けた目隠しであることを特徴とする板である。
【発明を実施するための最良の形態】
【０００５】  この発明の一実施形態を図１と図２と図４を用いて説明する。
板１はプラスチック製であり、吸盤２はゴム製であり、板１と吸盤２の接合方法は吸盤２に溝３を設け吸盤とりつけ線４の箇所に接着剤により固定する。
パチンコ台前面のガラス５の上に、吸盤２を設けた板１を図４に示すように、当たりはずれを表示する部分６の両端に設置する。
「他の実施の形態１」【０００６】  図１の実施形態では、吸盤２は１個であったが、他の実施形態では、吸盤２は図３に示すように複数個でも良い。
「他の実施の形態２」【０００７】  図１の実施形態では、板１はプラスチック製であったが、他の実施形態では、板１はゴム製でも良い。
「他の実施の形態３」【０００８】  図１の実施形態では、板１はプラスチック製であったが、他の実施形態では、板１はビニール製でも良い。
「他の実施の形態４」【０００９】  図１の実施形態では、板１はプラスチック製であったが、他の実施形態では、板１は紙製でも良い。
「他の実施の形態５」【００１０】  図１の実施形態では、吸盤２はゴム製であったが、他の実施形態では、吸盤２はプラスチック製でも良い。
「他の実施の形態６」【００１１】  図１の実施形態では、吸盤２はゴム製であったが、他の実施形態では、吸盤２はビニール製でも良い。
「他の実施の形態７」【００１２】  図１の実施形態では、吸盤２に溝３を設けて板１をはめこんでいたが、他の実施形態では、板１と吸盤２の接合方法は溶接でも良い。
「他の実施の形態８」【００１３】  図１の実施形態では、プラスチック製の板１とゴム製の吸盤２を接合させているが、他の実施形態では、板１と吸盤２はプラスチック製の一体化した物でも良い。
「他の実施の形態９」【００１４】  図１の実施形態では、プラスチック製の板１とゴム製の吸盤２を接合させているが、他の実施形態では、板１と吸盤２はゴム製の一体化した物でも良い。
「他の実施の形態１０」【００１５】  図１の実施形態では、プラスチック製の板１とゴム製の吸盤２を接合させているが、他の実施形態では、板１と吸盤２はビニール製の一体化した物でも良い。
「他の実施の形態１１」【００１６】  図４の実施形態では、板１を２枚使用しているが、他の実施形態では、板１は図５に示すように３枚使用しても良い。
「他の実施の形態１２」【００１７】  図１の実施形態では、板１は屈曲のない板であったが、他の実施形態では、板１は図６に示すように屈曲していても良い。
「他の実施の形態１３」【００１８】  図１の実施形態では、板１は湾曲のない板であったが、他の実施形態では、板１は図７に示すように湾曲していても良い。
【発明の効果】
【００１９】  以上説明したように、請求項１の発明によれば、板に吸盤を設けたのでパチンコ台のガラス表面に板を設置することができる。
さらに詳しくは、請求項２の発明によれば、板に吸盤を設けたのでパチンコ台のガラス表面に目隠しであることを特徴とする板を設置することができ、当たりはずれを表示する部分を周囲の人から見られにくくすることができる。
【図面の簡単な説明】
【図１】  この発明の板１を吸盤２と接合した状態を示す斜視図である。
【図２】  この発明の板１と吸盤２を接合する前の状態を示す斜視図である。
【図３】  この発明の板１を複数個の吸盤２と接合した状態を示す斜視図である。
【図４】  この発明の板１を２枚使用した状況を示す斜視図である。
【図５】  この発明の板１を３枚使用した状況を示す斜視図である。
【図６】  この発明の板１を屈曲させて使用した状況を示す斜視図である。
【図７】  この発明の板１を湾曲させて使用した状況を示す斜視図である。
【符号の説明】
１板
２吸盤
３溝
４吸盤とりつけ線
５パチンコ台前面のガラス
６当たりはずれを表示する部分
７パチンコ台
【図１】
2005074212.tif 000003
【図２】
2005074212.tif 000004
【図３】
2005074212.tif 000005
【図４】
2005074212.tif 000006
【図５】
2005074212.tif 000007
【図６】
2005074212.tif 000008
【図７】
2005074212.tif 000009
(57)【要約】【課題】  脚力を鍛えるトレーニング器具であるランニングマシンに表示装置を設け、ランニングの運動速度に連動した風景等の映像を表示し、運動時における視覚的な刺激を使用者に与えることで、トレーニングの楽しさや、運動効果の向上を図ることを目的とした運動用器具を提供する。【解決手段】  ランニングマシンの走行用エンドレスベルト６を駆動する駆動装置１と、駆動装置１の動作速度及び表示装置４に出力するデータベースの映像情報を選択する操作パネル２を設け、駆動装置１の動作速度に連動した映像を表示出力する処理を担う制御部３によって、表示装置４に映像を表示することを特徴とした風景表示装置を有するランニングマシンによる。【選択図】  図１
2005074211.tif 000002
【特許請求の範囲】
【請求項１】
ランニングマシンの走行用エンドレスベルト６を駆動する駆動装置１と、駆動装置１の動作速度及び表示装置４に出力するデータベースの映像情報を選択する操作パネル２を設け、駆動装置１の動作速度に連動した映像を表示出力する処理を担う制御部３によって、表示装置４に映像を表示する風景表示装置を有するランニングマシン。
【発明の詳細な説明】
【発明の詳細な説明】
【技術分野】
【０００１】  この発明は、脚力を鍛えるトレーニング器具であるランニングマシンに表示装置を設け、ランニングの運動速度に連動した風景等の映像を表示し、運動時における視覚的な刺激を使用者に与えることで、トレーニングの楽しさや、運動効果の向上を図ることを目的とした運動用器具である。
【背景技術】
【０００２】  従来のランニングマシンにおける表示機能は、運動速度や走行距離、消費カロリー等の運動に関する情報を、操作パネル上に表示することができるランニングマシンが一般化している。
【発明が解決しようとする課題】
【０００３】  これには、次のような欠点があった。
ランニングマシンは、回転するベルト上を走ることで脚力を鍛える運動用器具であるが、室内の変化のない環境で単純な繰り返し運動を行っていると、従来型の限定的な表示機能では、運動に飽きたり、集中力を欠いたりすることがある。
本発明は、このような欠点を解決するためになされたものである。
【課題を解決するための手段】
【０００４】  ランニングマシンの走行用エンドレスベルト６を駆動する駆動装置１と、駆動装置１の動作速度及び表示装置４に出力するデータベースの映像情報を選択する操作パネル２を設け、駆動装置１の動作速度に連動した映像を表示出力する処理を担う制御部３によって、表示装置４に映像を表示する風景表示装置を有するランニングマシンとする。
【発明を実施するための最良の形態】
【０００５】  以下、本発明の実施の形態について説明する。図１は本発明の風景表示装置を有するランニングマシンの外観を示す側面図である。本発明は、駆動ベルト５を介してランニングマシンの走行用エンドレスベルト６を駆動させる駆動装置１と、駆動装置１の動作速度の選択及び、表示装置４に出力するデータベースの映像情報の選択をする操作パネル２と、操作パネル２に格納された駆動装置１の動作速度の制御回路及び、駆動装置１の動作速度に連動した映像を表示出力する処理を担う制御回路を設けた制御部３と、映像を表示する表示装置４からなる。【０００６】  図２は本発明を適用したランニングマシンの構成例を示すブロック図である。ランニングマシンの駆動装置１は、速度選択操作１０により動作速度を選択すると、速度制御回路１１を介して駆動装置１の動作速度の制御が行われる。また、データベース１４に蓄積されている風景映像等の情報を映像選択操作１２によって任意に選択することで、表示制御回路１３を介して、当該風景映像が駆動装置１の動作速度に応じた速度で表示装置４に表示出力する処理が行われ、使用者は表示装置４に映し出される映像を見ることで、当該風景の中をランニングしているような経験をすることができるシステムである。【０００７】  データベース１４に蓄積されている映像情報は、例えば、ジョギングをしている時の街中の風景映像や、実際のマラソン競技やトライアスロン競技等に採用されたコースの風景映像の情報であり、これらの映像はランニングマシンの使用者が任意に選択し表示させることができる。また、映像情報は必ずしも風景に限らず、トレーニングを補助することを目的としたランニング指導の映像を表示させるなどしてもよい。さらに、本発明に音響装置を設け、映像情報の表示と同時に音楽や音声を出力してもよい。
【発明の効果】
【０００８】  本発明を使用することによって、スポーツジム等の室内における変化に乏しい環境にランニングマシンが設置されていたとしても、ランニングの運動速度に連動して表示される風景等の映像が、使用者に視覚的な刺激を与えることで、運動することに飽きたり、集中力を欠いたりすることなく、トレーニングの楽しさや、運動効果の向上に資することが期待できる。
【図面の簡単な説明】
【図１】    本発明の外観を示す側面図である。
【図２】    本発明を適用したランニングマシンの構成例を示すブロック図である。
【符号の説明】
１  駆動装置
２  操作パネル
３  制御部
４  表示装置
５  駆動ベルト
６  走行用エンドレスベルト
７  ローラー
８  安全手すり
９  フレーム
１０  速度選択操作
１１  速度制御回路
１２  映像選択操作
１３  表示制御回路
１４  データベース
【図１】
2005074211.tif 000003
【図２】
2005074211.tif 000004
(57)【要約】【課題】  サーフボードのフィンは、使用と不使用時の際に着脱する。不使用時はずさないと、運搬等に不便を来たすからである。しかし、この着脱に現在はネジを用いて一々着脱している。これは、非常に労力がかかり不便である。本発明は、着脱を手で簡単にできる方法を提供する。【解決手段】  サーフボードに長方形の溝を掘る。そこに嵌合するボックスを入れ、接着剤で固定する。ボックスには、中央に内溝が切ってあり、内溝は、側部に左右各々２つの凸部を設けている。フィンを内溝に入れると、フィンの脚には左右各々２つの嵌合溝が設けてあり、その内溝の凸部に嵌り、フィンは固定される。フィンの着脱は手で簡単にできる。使用中外れず、しっかりと固定される。【選択図】  図１
2005074026.tif 000002
【特許請求の範囲】
【請求項１】
サーフボードに縦長の、上より見て四方形の溝を掘り、その溝に縦長のボックスを嵌め込み、接着し、そのボックスに縦長の内溝が設けてあり、そのボックスから内溝に両側より突出した凸部を設け、又、フィンの脚に凹部を設け、フィンをそのボックスの内溝に嵌め、そのボックスの凸部とフィンの脚の凹部がしっかり嵌合し固定する、サーフボード等のフィンの着脱方法。
【請求項２】
そのボックスの凸部と、そのフィンの脚の凹部が左右各々２つである、請求項１に記載のサーフボード等のフィンの着脱方法。
【請求項３】
ボックスと、サーフボードの表面が一線になるように水平維持具をそのボックスの前後に設けた、請求項１に記載のサーフボード等のフィンの着脱方法。
【発明の詳細な説明】
【技術分野】
【０００１】
本発明は、サーフボード等のフィンの着脱方法に関する。
【背景技術】
【０００２】
サーフボードのフィンは、使用時と不使用時の時に着脱する。不使用時はずさないと、運搬等に不便を来たすからである。ところが、この着脱に現在はネジを用いて、一々着脱している。これは、労力が非常にかかり大変不便を感じている。
【特許文献１】特記すべき先行文献なし。
【非特許文献１】サーフィンの雑誌等で取り上げられているものは全てネジによる着脱である。
【発明の開示】
【発明が解決しようとする課題】
【０００３】
解決しようとする問題点は、手でネジを使わず、簡単にフィンを着脱できる方法を提供する。
【課題を解決するための手段】
【０００４】
フィンに長方形の溝を切り、そこに平面より見て長方形のボックスを埋め込み、接着剤で固定し、そのボックスの中央に設けた長方形の内溝にフィンを入れる。
内溝には、長手方向で、左右各２つの凸部があり、フィンの２つの脚に設けられた凹部である嵌合溝が嵌合する。これにより手でフィンを着脱できる。
【発明の効果】
【０００５】
本発明のサーフボード等のフィン着脱方法はネジを用いないため、その労力が大変減少する。１つのサーフボードに３つのフィンがつくので、今までのネジを用いた方法では、大変面倒なものであったが、これにより、手で簡単に着脱できる。
又、サーフボードに掘る溝は長方形であるので、丸形等と違い掘るのが簡単である。
又、実際に使用してみて、絶対にフィンが上に抜けることはない。手で後方へフィンを動かすことにより簡単に嵌合、固定できる。
【発明を実施するための最良の形態】
【０００６】
サーフボード１に縦長の溝２を掘る。その溝２に、接着剤にて上から見て長方形の立方状のボックス３を嵌めて固定する。ボックス３の左右に縦横に溝４があり、これは接着が良く行行なわれるためのものである。
【０００７】
ボックス３には、中央に内溝５を切る。内溝５はやはり縦長のものである。
ボックスに内溝５に突出した凸部６を左右２つづつ設ける。この凸部６に、フィンの脚７に設けた左右各々２つの嵌合溝８が嵌り、固定される。
【０００８】
嵌合溝８は、フィン９の２つの脚７につき、導入部１０と嵌合部１１で、ボックスの凸部が導入されて、しっかり嵌合し固定する。
【０００９】
又、ボックスの前後に、水平維持具１２があり、これは横から見てコの字状をし、これにより、溝の深さが深い時、サーフボードの面が一線にならないことがないようについている。これにより、サーフボードの表面とボックスの表面は常に一線となる。
サーフボード１の面Ａより上の部分は後に全部削り取る。
又、壁１３は、取付時に樹脂が内側に入らないようにしたものである。
【産業上の利用可能性】
【００１０】
今まで、ネジ廻しで、ネジを３つのフィンで数回も一々廻して固定していたもので、又、他の方法も欠点が多く、本業界では、本発明は画期的なものであり、全世界的に広く用いられることが期待できる。
【図面の簡単な説明】
【００１１】
【図１】側面図である。
【図２】斜視図である。
【図３】ボックスの平面図である。
【図４】フィンの側面図である。
【図５】フィンとボックスの平面図であり、Ａは左側、Ｂは中央、Ｃは右側のフィンを示す。
【図６】着装の前の側面図である。
【図７】着装後の側面図である。
【符号の説明】
【００１２】
１  サーフボード
２  溝
３  ボックス
４  縦横の溝
５  内溝
６  凸部
７  フィンの脚
８  嵌合溝
９  フィン
１０  導入部
１１  嵌合部
１２  水平維持具
１３  壁
Ａ  サーフボードの面
【図１】
2005074026.tif 000003
【図２】
2005074026.tif 000004
【図３】
2005074026.tif 000005
【図４】
2005074026.tif 000006
【図５】
2005074026.tif 000007
【図６】
2005074026.tif 000008
【図７】
2005074026.tif 000009
(57)【要約】      （修正有）【課題】薄膜プラスチック材料等を使い、できるだけ軽量化と少量化を量る。【解決手段】面積の大きいシェルター（雨除け）部分は、薄くて軽くて強い薄膜プラスチック材料を使用し円錐形に加工する。この円錐形シェルター下部にはビニール等強く気密性が高く比較的重いプラスチック材料を使用したチューブ状の輪を接着し、この輪に空気を入れることで傘の形状を形造り強度を与える。この円錐形シェルターの頂部（帽子部分）を頭に被ることで初めて構造的に安定し、吊り構造の傘となる。また、この帽子部分の側面にチューブ状の輪を付け、注入する空気量により頭への密着度を変えることができるようにする。【選択図】図１
2005074039.tif 000002
【特許請求の範囲】
【請求項１】
円錐形状の薄膜の頂部を頭に被れるよう帽子の形状にし、下部の円形端部に沿ってチューブ状の輪を接着した雨具であり、常時はこれをコンパクトに畳んで携帯し、使用時には、端部の輪に空気を入れて広げ、頂部を頭に被って帽子のように使用する携帯用の傘。
【発明の詳細な説明】
【技術分野】
【０００１】
本発明は、柄と骨が無く、コンパクトに折り畳みが可能で、使用時には空気を入れ、頭に被って使用する携帯用の傘。
【背景技術】
【０００２】
従来の金属製など骨のある傘は、柄と骨と布またはビニールで構成されており、重たく嵩張るので携帯に不便である。また、この骨とか柄の先端部分が児童には危険である。傘を差す場合も片手で柄を持つ必要がある。更に、雨中から屋内に入る時、雨滴を瞬時に切れないため、床などを濡らすという欠点があった。
【０００３】
次に、ビニール製等の空気を入れて使用する傘も考案されているが、一般的な傘の形状をしているため、製作が困難なものや、軽量でないものが多い。帽子のように頭に被って使用し、両手が使えるものはない。
【０００４】
これらの問題を解決するため、柄の金属をできるだけ薄く軽くしたり折り畳みが可能なようにしたり、柄とか骨の先端を丸い樹脂でカバーし危険を防止しているものもでているが、構成材料が金属であるため、軽量化や安全性を高めるにも限界がある。また、両手が使える雨具としてはカッパがあるが、着脱に手間がかかること、夏などは蒸せることから、やはり快適な雨具ではない。
【特許文献１】特開２００１−２１１９１６号公報
【発明の開示】
【発明が解決しようとする課題】
【０００５】
解決しようとする問題点は、携帯時に大きくて重い点である。
【課題を解決するための手段】
【０００６】
本発明は、少量化と軽量化を図るために、シェルター部に円錐形の薄膜を使用し、ビニール等の重く嵩張る材料は唯一の骨の役割をするチューブ状の輪の部分と、頭のサイズ調整のためのチューブ状の輪に使用したことを最も主要な特徴とする。
【発明の効果】
【０００７】
本発明の大きな効果は３つある。１番目は従来のものに比べ非常に軽量でコンパクトであるため携帯に便利なこと。２番目は安全性が非常に高いこと。３番目は帽子のように頭に被って使用するため両手が使えることである。
【発明を実施するための最良の形態】
【０００８】
軽量化を図るために、部品数を最小にし軽量材料をできるだけ多く使用した。
【実施例１】
【０００９】
図１は、全体の姿図で、ａ．帽子、ｂ．帽子部分のチューブ状の輪、ｃ．薄膜（シェルター（雨除け））、ｄ．チューブ状の輪、ｅ．空気注入部。
【００１０】
ｃ．輪は、薄膜を傘状に広げる役割をするもので、薄膜より少し重い丈夫な防水材料（例えばビニール）で作る。形態は、自転車のチューブのようなもので、ｅ．空気注入部より空気を注入することにより、内部の気圧で拡張する。    
【００１１】
ｂ．帽子部分のチューブ状の輪は、空気を出し入れすることで形状を変え、サイズの調整機能を持つとともに繰り返しの使用に耐える強度を持つ。
【産業上の利用可能性】
【００１２】
折り畳むことにより、携帯に最適であり雨滴を絞れるため、室内空間に持ち込み易い。使用材料がやわらかい物ばかりなので安全性が高い。また、使用時にアゴ紐で固定すれば風に対しても強くなる。
【図面の簡単な説明】
【００１３】
【図１】チューブ状の輪に空気を入れた全体の姿図である。
【図２】全体の断面図である。
【符号の説明】
【００１４】
ａ．  帽子
ｂ．  帽子部分のチューブ状の輪
ｃ．  薄膜
ｄ．  チューブ状の輪
ｅ．  空気注入部
【図１】
2005074039.tif 000003
【図２】
2005074039.tif 000004
(57)【要約】【課題】  フライアッシュからの金属化合物類の容易な分別回収方法の提供。【解決手段】  微粉状燃焼灰を水と混合して攪拌しつつ単極磁場内を通過させ、次いで該混合水を先の磁場の極性と極性の異なる単極の磁場内を通過させ、次いでその混合水から永久磁石を介して磁性金属化合物を吸着分取し、ついで混合水から非磁性金属化合物を比重分別する。【選択図】  図１
2005074349.tif 000002
【特許請求の範囲】
【請求項１】
微粉状燃焼灰を水と混合し、その混合水を攪拌しつつ単極磁場内を通過させ、次いで該混合水を攪拌しつつ更に先の磁場の極性と極性の異なる単極の磁場内を少なくとも１度通過させ、次いでその混合水に永久磁石を作用させて磁性金属化合物を吸着分取し、ついで混合水から非磁性金属化合物を比重分別することを特徴とする燃焼灰からの金属化合物類の分別回収方法。
【請求項２】
燃焼灰がフライアッシュである請求項１の燃焼灰からの金属化合物類の分別回収方法。
【発明の詳細な説明】
【技術分野】
【０００１】
本発明は、燃焼灰から金属化合物類を分別回収する方法に関する。
【背景技術】
【０００２】
燃焼灰、特に石炭灰の大半を占めるフライアッシュ（以下フライアッシュと称する。）には多種多量の金属類、特に重金属類が含まれており、そのため、それを単に廃棄することは公害の問題から許されない。特に火力発電により廃出されるフライアッシュは大量であるために廃棄鉱山の坑道を利用して地中深く埋めるなどの極めて限られた処理方法しかなく、処理に過大な経費と手間が掛かるのが現状である。
【発明の開示】
【発明が解決しようとする課題】
【０００３】
本発明は、燃焼灰から容易に磁性金属類、非磁性金属類及びその他の灰分を分別回収することの出来る方法を提供する。
【課題を解決するための手段】
【０００４】
本発明は上記の課題を解決するために、微粉状燃焼灰を水と混合し、その混合水を攪拌しつつ単極磁場内を通過させ、次いで該混合水を攪拌しつつ更に先の磁場の極性と極性の異なる単極の磁場内を少なくとも１度通過させ、次いでその混合水に永久磁石をかいして磁性金属化合物を吸着分取し、ついで混合水から非磁性金属化合物を比重分別することを特徴とする燃焼灰から金属化合物類を分別回収する。
この方法はフライアッシュに最も好適に適用できる。
微粉状燃焼灰中には多種多量の金属類が主として酸化化合物の形で含まれている。これらの酸化化合物は当然電気的に安定した結合状態で存在している。微粉状燃焼灰を水と混合したのみでは水及び混合物が電気的に安定な状態を保った単なる混合水であるが、その混合水をＮ極またはＳ極いずれか単極の強力な磁場内を通過させることにより、その電気的に安定して結合している金属酸化化合物の安定結合状態を破壊して電離状態にする。
電離状態となった金属化合物を含む混合水を続いて更に別のＮ極またはＳ極いずれか単極の強力な磁場内を通過させることにより、電離状態の磁性金属化合物を磁力によって捉え、引き続き更に前の電極とは別の単極の磁場内を通過させることにより前の単極で捕捉できなかった磁性金属化合物を捕捉する。これにより混合水中の磁性金属化合物は殆ど補足される。
磁性金属化合物が殆どなくなった混合水は次いで混合水から非磁性金属を比重分別することにより金属化合物とそれ以外の雑灰とを分離する。
【発明の効果】
【０００５】
本発明はフライアッシュを水と混ぜ、その混合水に磁性を作用させて安定な結合状態を破壊させた上で磁石により混合水中で分取するので、フライアッシュの金属化合物を極めて容易に且つ完全に分取出来、フライアッシュの有効利用さらには環境保全、公害回避に大きく寄与する。
【実施例】
【０００６】
本発明の実施の１形態を図１を用いて説明する。
図１は本発明の１実施態様のプロセスを示すフローチャートである。
フライアッシュ１及び水２を混合水槽５に入れて攪拌機３により十分攪拌して混合水４とする。混合水４は磁極６による単極磁場内を通過させる。この磁場内で混合水中の金属酸化物は強制的に電離させられ、不安定状態となる。この状態の混合水は一旦タンク７に導いてそこで混合水の上部を抜き取り抜き取った混合水から炭化物８等を取り除く。炭化物８等を取り除いた混合水は再び混合水槽５に還流させ混合水の水分として再利用する。これらの炭化物などの除去及び混合水の還流のステップは不可欠ではない。
上部を取り除いた混合水４は再度最初の磁極６と同じ極性の磁極９による単極磁場内を通過させる。次いで混合水は第一次磁性金属分取槽１２に送られる。磁性金属分取槽１２内には攪拌機１１及び永久磁石１０が複数機設けられている。この磁性金属分取槽１２において混合水が攪拌機１１によって攪拌されつつ磁性金属１３が永久磁石１０に吸着されて分取され取り出される。
第一次磁性金属分取槽１２で磁性金属化合物が除去された混合水は更に先の単極磁場のための磁極９の極性とは反対の極性の磁極１４による磁場内を通過させて第二次磁性金属分取槽１７に送られる。第二次磁性金属分取槽１７は第一次磁性金属分取槽１２と同じ構成である。この第二次磁性金属分取槽１７内において第一次磁性金属分取槽１２で除去されずに残っている磁性金属化合物１８が混合水が攪拌機１６によって攪拌されつつ磁石１５に吸着されて分取され取り出される。
第一次及び第二次磁性金属分取槽でほぼ完全に磁性金属化合物が除去された混合水はついで比重分別槽１９に送られて一定時間静置し、比重の重い非磁性金属類２０を分取する。
金属化合物類及び非金属灰類が除去された混合水は冒頭の混合水槽５に循環させて混合水の水として再利用する。
【産業上の利用可能性】
【０００７】
フライアッシュ内の金属化合物を磁性金属化合物類と非磁性金属化合物類とをその他の灰分ともそれぞれ分別して回収し、金属化合物類として或いは更に精錬して金属単体として取得してそれらを有効利用する。
【図面の簡単な説明】
【０００８】
【図１】本発明の 1実施態様の工程図である。
【符号の説明】
【０００９】
１  フライアッシュ
２  水
３  攪拌機
４  混合水
５  混合水槽
６  磁極
７  タンク
８  炭化物
９  磁極
１０  永久磁石
１１  攪拌機
１２  第一次磁性金属分取槽
１３  磁性金属
１４  磁極
１５  磁石
１６  攪拌機
１７  第二次磁性金属分取槽
１８  磁性金属化合物
１９  比重分別槽
２０  非磁性金属類
【図１】
2005074349.tif 000003
(57)【要約】【課題】アンテナの破損や受信機の落下等による故障の恐れが小さい歩行者情報提供システムにおける受信機を提供する。【解決手段】ＦＭ波を受信する受信機１に取り付けられた持ち運び用紐２を用いることで、受信機１は落下等による故障の恐れが少なくでき、その持ち運び用紐２に音声情報に係わる電波であるＦＭ波を受信するアンテナ３が挿通されていることで、アンテナ３は持ち運び用紐２により保護され、アンテナ３の破損の恐れを小さくできる。【参照図】        図１【特許請求の範囲】
【請求項１】
施設内や街路等において、特定の発信源から予め定められた誘導、危険警告等に関する情報に係わる電波が発信され、該電波を受信し音声に変換して歩行者に前記情報を伝達する受信機であって、前記電波はＦＭ波で、該ＦＭ波を受信するアンテナが前記受信機に取り付けられた持ち運び用紐内に挿通されていることを特徴とする歩行者情報提供システムにおける受信機。
【発明の詳細な説明】
【技術分野】
【０００１】
本発明は、歩行者が保有し、施設内や街路等において予め定められた誘導、危険警告等に関する情報に係わる電波を受信し、音声に変換して歩行者に前記情報を伝達する歩行者情報提供システムにおける受信機に関するものである。
【背景技術】
【０００２】
従来、道路周辺に設置された構造物等から予め定められた音声情報に係わる電波を発信し、受信機により受信することで、とりわけ視覚障害者に対して情報を提供せんとするシステムは種々の発明がなされてきており、例えば特許文献１において、ＩＤタグとＩＤリーダを利用して特定周波数帯域の電波を送信し、音声出力装置により音声に変換して利用者に誘導に係わる情報を提供する情報誘導案内システムが開示されている。
【０００３】
【特許文献１】特開２００１−１９０５８９号公報
【発明の開示】
【発明が解決しようとする課題】
【０００４】
しかしながら、特許文献１に示される受信機等、従来の歩行者への音声による情報提供に用いられる受信機は、アンテナが装置から突出していたり、手で持ち運ぶ必要があったりして、アンテナの破損や受信機の落下等による故障の恐れがあり、とりわけ受信機を視認するのが困難である視覚障害者には取り扱いが面倒なものであった。
【０００５】
本発明は上記の如き課題に鑑みてなされたものであり、アンテナの破損や受信機の落下等による故障の恐れが小さい歩行者情報提供システムにおける受信機を提供せんとするものである。
【課題を解決するための手段】
【０００６】
上記課題を解決するため、本発明は以下のような構成としている。すなわち、本発明に係わる歩行者情報提供システムにおける受信機は、施設内や街路等において、特定の発信源から予め定められた誘導、危険警告等に関する情報に係わる電波が発信され、該電波を受信し音声に変換して歩行者に前記情報を伝達する受信機であって、前記電波はＦＭ波で、該ＦＭ波を受信するアンテナが前記受信機に取り付けられた持ち運び用紐内に挿通されていることを特徴とするものである。
【発明の効果】
【０００７】
請求項１に記載の本発明に係わる歩行者情報提供システムにおける受信機によれば、受信機に取り付けられた持ち運び用紐を用いることで受信機は落下等による故障の恐れが少なくでき、その持ち運び用紐に情報に係わる電波であるＦＭ波を受信するアンテナが挿通されていることで、アンテナは持ち運び用紐により保護され、アンテナの破損の恐れを小さくできる。
【発明を実施するための最良の形態】
【０００８】
本発明に係わる最良の実施の形態について、図面に基づき以下に具体的に説明する。
図１は、本発明に係わる歩行者情報提供システムにおける受信機の、実施の一形態を示す説明図である。ＦＭラジオである受信機１の裏面側に、取付金具１１が取着され、取付金具１１に持ち運び用紐２が挿通されることで持ち運び用紐２が受信機１に取り付けられている。ＦＭラジオにおいては通常アンテナは収納式やケーブル式、もしくはイヤホンがケーブル式のアンテナを兼ねるものなどが用いられるが、本実施形態においては受信機１のイヤホン用のジャック１２に、イヤホンを兼用しないケーブル式のアンテナ３が嵌入されて接続され、そのアンテナ３は持ち運び用紐２の内部に挿通されている。受信機１は、持ち運び用紐２を用いて首や腕などに懸けるか、持ち運び用紐２にクリップ等を取り付けて歩行者自身や持ち物に固定する等して落下の恐れを小さくすることができる。また、スピーカー付きでイヤホン、スピーカーの切替えスイッチを持つものや、複数のイヤホンジャックを有するＦＭラジオであれば、汎用のＦＭラジオについて適用するのが容易に可能である。
【０００９】
図２は、図１に示した受信機の、歩行者情報提供システムにおける利用方法の一例を示す説明図である。誘導点字ブロックＹ上を歩行してきた歩行者に対し、横断歩道の前に警告点字ブロックＫと共に設置されたＦＭ波の発信装置を内蔵した歩行者誘導用ブロック２０から、予め定められた警告に係わる信号がＦＭ波Ｗとして発信される。そのＦＭ波Ｗを受信機１の持ち運び用紐２に挿通されたアンテナ３が受信し、そのＦＭ波Ｗを受信機が音声に変換し、受信機１に備えられたスピーカー１３から音声Ｓとして発せされ、「前方に横断歩道があります」といった警告情報が歩行者に提供される。音声はイヤホンにより伝達されるものであってもよいが、とりわけ視覚障害者が利用するにおいては聴覚による周囲の状況把握に影響を及ぼす恐れがあり、スピーカー１３を用いるのが好適である。また受信機１にクリップ等を取り付けておき、歩行者の衣服や鞄等の持ち物に固定できるようにしておけば、音声Ｓの聞き取りやすい場所に受信機１を配置することができ好ましい。
【００１０】
予め定められた誘導や危険警告等に係わる電波を発信するものは、歩行者誘導用ブロック２０に限定されるものではなく、街路においては車止め、照明支柱、柵、高欄、標識等に電波発信装置を内蔵して適用することができ、また施設内においては、天井裏、床面や壁面の裏側、手摺等に電波発信装置を内蔵して適用することができる。
【図面の簡単な説明】
【００１１】
【図１】本発明に係わる歩行者情報提供システムにおける受信機の、実施の一形態を示す説明図である。
【図２】図１に示した受信機の、歩行者情報提供システムへの適用の一例を示す説明図である。
【符号の説明】
【００１２】
１    受信機
１３  スピーカー
２    持ち運び用紐
３    アンテナ
２０  歩行者誘導ブロック
Ｈ    歩行者
Ｓ    音声
【図１】
2005074137.tif 000002
【図２】
2005074137.tif 000003